(57)【要約】【課題】流体パック袋体の開口注出口を確保して直立に支持することができる複合収納容器を提供する【解決手段】流体パック袋体の上部封着縁辺の一部に、注ぎ口を切り開くための所定巾の突出注出部を一体に形成するとともに、袋体支持ケースの上部開口縁辺の一部に、前記流体パック袋体の切り開き注出口縁辺を開口状に係着するためのく字の型係止縁辺を一体に形成し、支持ケース内に収納したパック袋体の注出口縁辺を支持ケースのく字の型係止縁辺にできるようにする。パック袋体の注出口縁辺を介して、前記袋体支持ケースのくの字型係止縁辺に嵌合する係止具を設ける。支持ケースの上部開口縁辺に、二つのくの字型係止縁辺を形成し、一方をパック袋体の注出口の係止縁辺とし、他方を係止具の保管係着縁辺とする。【選択図】      図３
2004224358.tif 000002
【特許請求の範囲】
【請求項１】
プラスチックシート製の流体パック袋体と、この流体パック袋体を上端開口部から挿入して収納する袋体支持ケースからなり、前記流体パック袋体は上部封着縁辺の一部に、注ぎ口を切り開くための所定巾の突出注出部を一体に有するとともに、前記袋体支持ケースは、その上部開口縁辺の一部に、前記流体パック袋体の切り開き注出口縁辺を開口状に係着するための係止縁辺を一体に具備することを特徴とする複合収納容器
【請求項２】
流体パック袋体の切り開き注出口縁辺を介して、前記袋体支持ケースの係止縁辺に嵌合される係止具を具備することを特徴とする請求項１記載の複合収納容器
【請求項３】
係止具に注出口の開閉蓋を設けたことを特徴とする請求項２記載の複合収納容器
【請求項４】
流体パック袋体を挿入する上部開口縁辺の一部に、前記流体パック袋体の切り開き注出口縁辺を開口状に係着するための係止縁辺を形成するとともに、上部開口縁辺の別の位置に、前記係止具を着脱可能に係着するための別の係着縁辺を形成したことを特徴とする請求項２または３記載の複合収納容器
【請求項５】
流体パック袋体を挿入するケース枠体の上部開口縁辺の一部に、流体パック袋体の切り開き注出口縁辺を係着するための係止縁辺を一体形成したことを特徴とする流体パック袋体の支持ケース
【請求項６】
流体パック袋体を挿入するケース枠体の上部開口縁辺の一部に、流体パック袋体の切り開き注出口縁辺を挾んで係止具を嵌装するための係止縁辺を一体形成するとともに、上部開口縁辺の別の位置に、前記くの字型係止縁辺から外した係止具を着脱可能に係着するための係着縁辺を形成したことを特徴とする流体パック袋体の支持ケース
【請求項７】
上部開口縁辺にくの字型係止縁辺を形成した袋体支持ケースに収納して内容物流体を注出する流体パック袋体において、上部封着縁辺に注ぎ口を切り開くための注出部を一体に有し、切り開いた前記注出部縁辺を前記袋体支持ケースのくの字型係止縁辺に係着できるようにした流体パック袋体
【発明の詳細な説明】
【００１】
【発明の属する技術分野】
本発明はプラスチックフイルムなどの薄い素材の流体パック袋体を、その注出口を確保してケース枠体内に支持する複合収納容器、並びにこの収納容器を構成する袋体支持ケース及び流体パック袋体に関する。
【００２】
【発明が解決しようとする課題】
近年、プラスチック製のシートやフィルムからなる袋体に流状の食品、調味料、洗剤を詰め、注出部を切り開いて使用する流体パック袋体が広く利用されている。
この種の流体パック袋体は軟らかいプラスチックシートやフィルムで形成されており、自立支持力に欠けるため、注出口を切り開いた状態で載置しておくと内容物が流出し易い。特に、内容物が少なくなるとパック袋体を立てて置くことができない。
【００３】
このため、この種の流体パック袋体は詰め替え容器として多用されているが、このような軟らかい袋の内容物を移し替える作業はきわめて煩わしく、また、詰め替えの際にこぼしたり、内容物を出し切れないなどの無駄があった。
【００４】
従って、本発明の第１の目的は、自立支持力のない流体パック袋体の開口注出口を確保して直立に支持することができる複合収納容器を提供することにある。
【００５】
本発明の第２の目的は、上記の複合収納容器に使用する支持ケースを提供することにある。
【００６】
本発明の第３の目的は、上記の複合収納容器に使用するのに適した流体パック袋体を提供することにある。
【００７】
【課題を解決するための手段】
上記第１の目的を達成するために、本発明の複合収納容器は、プラスチックフイルムやプラスチックシートなどの薄い素材からなる流体パック袋体と、この流体パック袋体を上端開口部から挿入して収納する袋体支持ケースからなり、前記流体パック袋体は上部封着縁辺の一部に、注ぎ口を切り開くための所定巾の突出注出部を一体に有するとともに、前記袋体支持ケースは、その上部開口縁辺の一部に、前記流体パック袋体の切り開き注出口縁辺を開口状に係着するためのく字の型係止縁辺を上方又は側方へ突出させて一体に具備することを特徴とする。
【００８】
上記複合収納容器は、前記袋体支持ケースのくの字型係止縁辺に嵌合される係止具を設け、この係止具で流体パック袋体の切り開き注出口縁辺を挾んで前記袋体支持ケースのくの字型係止縁辺に係着するようにしてもよい。
【００９】
さらに、袋体支持ケースのくの字型係止縁辺に嵌合される係止具には、開閉蓋を設けてもよい。
【０１０】
更に好ましくは、袋体支持ケースの上部開口縁辺の一部に、該流体パック袋体の切り開き注出口縁辺を開口状に係着するためのくの字型係止縁辺を形成するとともに、上部開口縁辺の別の位置に、前記くの字型係止縁辺から外した前記係止具を着脱可能に係着するためのくの字型係着縁辺を形成し、これにより、流体パック袋体を入れ替える際に、注出口から外した係止具を別のくの字型係着縁辺に保持させるようにしてもよい。
【０１１】
上記第２の目的を達成するために、本発明の袋体支持ケースは、流体パック袋体を挿入するケース枠体の上部開口縁辺の一部に、流体パック袋体の切り開き注出口縁辺を係着するためのくの字型係止縁辺を一体形成したことを特徴とする。
【０１２】
この袋体支持ケースは、上部開口縁辺の２ケ所に前記くの字型縁辺を形成し、その一方を、流体パック袋体の切り開き注出口縁辺の係止縁辺として使用し、他方を、注出口から外した係止具の保管用係着縁辺として使用するようにしてもよい。
【０１３】
上記第３の目的を達成するために、本発明の流体パック袋体は、注ぎ口を切り開くための所定巾の注出部を上部封着縁辺から上方へ一体に突出させ、切り開いた前記注出部縁辺を前記袋体支持ケースのくの字型係止縁辺に係着できるようにしたことを特徴とする。
【０１４】
【発明の実施の形態】
以下、本発明の実施例を添付図面に基づいて説明する。
本発明の複合収納容器１は、図１に示すように、流状の飲食料、洗剤、燃料などの流体を充填した流体パック袋体２と、この流体パック袋体２を収納し、袋体の注出口を確保して支持する袋体支持ケース３で構成されている。
【０１５】
図２に示すように、流体パック袋体２は、プラスチックシート、プラスチックフィルムなどの袋に前記流体を充填して密閉したもので、流体を充填した状態では不定形の立方体を呈している。
この流体パック袋体２は、上部封着縁４の一部に、所定巾の注出部５が上方へ突出して一体形成されており、この注出部５には注ぎ口を切り開くためのカットライン６が設けられている。
【０１６】
袋体支持ケース３は、合成樹脂、紙、金属などの板材からなる上部開放の函体であり、図３に示すように、上部開口縁辺７の一部に、中央部を外側へ向けて屈曲させ、上端面をＬ字形あるいは鉤型にした、好ましくはくの字型係止縁辺８が一体に形成されている。
図の実施例はくの字型係止縁辺８を袋体支持ケース３の上部開口縁辺の上方へ突出させて形成した場合を例示したが、この構成に限らない。例えば、図は省略したが、くの字型係止縁辺８の上端を他の開口縁辺７と同じ高さにし、両側をスリットで区画してくの字型係止縁辺８に形成してもよい。
【０１７】
図の実施例では袋体支持ケースを上端を開口させた角形函体に形成し、その角部をくの字型係止縁辺８に利用している。この構造は製作が容易で加工コストの点で有利ではあるが、これに限らず、図４、図５のように角部以外の辺にくの字型係止縁辺８を形成してもよい。
【０１８】
かくして、図１の複合収納容器１は、図２の流体パック袋体２を図３の袋体支持ケース３に入れ、流体パック袋体２の注出部５のカットライン６を切って注ぎ口９を形成した後、この注ぎ口９の開口縁辺１０を前記袋体支持ケース３のくの字型係止縁辺８に沿って裏返すようにして係着する。これにより、支持力のない流体パック袋体２は、袋体支持ケース３のくの字型係止縁辺８によって注ぎ口９が開いた状態で袋体支持ケース３内に収納される。従って、内容物は、パック袋体に入れたままで、注ぎ口のある容器に入れ替えたのと同じ操作で注出される。
【０１９】
流体パック袋体２は、切り開いた注出部５の開口縁辺１０を支持ケース３のくの字型係止縁辺８に沿って裏返すだけで係着することも可能であるが、好ましくは、図４乃至図７に示すように、くの字型係止縁辺８に前記袋体の開口縁辺１０を介在させて嵌合する中空の係止具１１を用い、パック袋体２の開口縁辺１０をくの字型係止縁辺８にしっかりと係着させる。
【０２０】
この係止具１１にはさらに開閉蓋１２を設け、注ぎ口９を閉鎖することができるようにしてもよい。
この開閉蓋１２は、図４のように、開閉自在のヒンジで係止具１１に結合してもよく、また、係止具１１に対して着脱自在の別部材で構成してもよい。
さらには、図８のように、係止具１１の上面を閉鎖し、係止具１１と開閉蓋１２を兼用させてもよい。
【０２１】
流体パック袋体２を支持ケース３に入れ替える際は、係止具１１をくの字型係止縁辺８から取り外す必要があるが、このときに係止具１１をなくしたり、汚したりするおそれがある。これを防止するために、図８、図９の実施例は、支持ケース３の開口縁辺７の別の位置に前記くの字型係止縁辺８と同様のくの字型係着縁辺１３を形成し、パック袋体２を入れ替えるときに、係止具１１を別の位置のくの字型係着縁辺１３に係着して保管するようにしている。
【０２２】
図８、図９の実施例は、等角の多角形の支持ケース３の角部を利用し、一つの角部にパック袋体２の注出部５を係止するくの字型係止縁辺８を形成し、他の角部の両側板面にスリット１４を形成することにより、係止具１１を保持するためのくの字型係着縁辺１３に形成してある。この構造は支持ケースの形を効率よく利用するので製作が容易であり、コンパクトにできる。
【０２３】
【発明の効果】
本発明は、パック袋体を支持ケース内に収納し、支持ケースの係止縁辺でパック袋体の注ぎ口を開口保持するので、内容物を別容器に移し替えたようにして注ぎ出すことができる。従って、パック袋体からの注出操作が簡単になるとともに、詰め替えが不要になるので作業の煩わしさがなくなり、詰め替えに伴う内容物のロスもなくなる。
【０２４】
係止具を介して袋体の開口縁辺を係止することにより注ぎ口が安定し、長期使用にも対応できる。また、一度切り開いたパック袋体の注出口は閉鎖が面倒であったが、係止具に開閉蓋を設けることにより解決され、衛生上の問題もなくなる。
【０２５】
支持ケースに係止具の保管部を設けたことにより、支持ケースと係止具を常に一体に保持することができる。
【図面の簡単な説明】
【図１】本発明の一実施例を示す複合収納容器の斜視図
【図２】流体パック袋体の側面図
【図３】袋体支持ケースの一実施例を示す斜視図
【図４】本発明の他の実施例による袋体支持ケース
【図５】本発明の他の実施例による複合収納容器
【図６】本発明の他の実施例による複合収納容器
【図７】図６実施例の操作説明図
【図８】本発明の他の実施例を示す複合収納容器の斜視図
【図９】図８実施例の操作説明図
【符号の説明】
１…複合収納容器
２…流体パック袋体
３…袋体支持ケース
４…上部封着縁
５…注出部
６…カットライン
７…開口縁辺
８…くの字型係止縁辺
９…注ぎ口
１０…開口縁辺
１１…係止具
１２…開閉不他
１３…くの字型係着縁辺
１４…スリット
【整理番号】ＰＡＳ００３―００１
【図１】
2004224358.tif 000003
【図２】
2004224358.tif 000004
【図３】
2004224358.tif 000005
【図４】
2004224358.tif 000006
【図５】
2004224358.tif 000007
【図６】
2004224358.tif 000008
【図７】
2004224358.tif 000009
【図８】
2004224358.tif 000010
【図９】
2004224358.tif 000011